(57)【要約】【課題】２種類の発光素子を使用することによって、濃淡もしくは奥行きを簡単な制御で安価に表現することを可能にするダブルドットマトリクス演出表示器及びその演出分離方法を提供する。【解決手段】ダブルドットマトリクス演出表示器１は、表面上にマトリクス状に第１発光素子３、例えばランプ型発光ダイオードが配列された第１基板２と、第１基板２の第１発光素子３からの光の透過部６、例えば開口がマトリクス状に設けられるとともに、隣接する前記光の透過部６の間にマトリクス状に第２発光素子５、例えばチップ型発光ダイオードが配列されている第２基板４とを備えている。第１基板２及び第２基板４は、ランプ型発光ダイオード３の頭部が開口６内に挿入されるように、互いに積層されている。【選択図】  図１
2004305606.tif 000002
【特許請求の範囲】
【請求項１】
マトリクス状に第１発光素子が配列された第１基板と、前記第１基板の第１発光素子からの光の透過部がマトリクス状に設けられるとともに、隣接する前記光の透過部の間にマトリクス状に第２発光素子が配列されている第２基板とを備え、前記第２基板は前記第１基板の上に重ねて設けられていることを特徴とするダブルドットマトリクス演出表示器。
【請求項２】
前記第１発光素子はランプ型発光ダイオードであり、前記光の透過部は前記ランプ型発光ダイオードの頭部が挿入されように前記第２基板に設けられた開口であり、前記第２発光素子は前記開口間の第２基板上に設けられたチップ型発光ダイオードであることを特徴とする請求項１に記載のダブルドットマトリクス演出表示器。
【請求項３】
前記第２基板は、ほぼ透明な材料で作製されていることを特徴とする請求項１に記載のダブルドットマトリクス演出表示器。
【請求項４】
前記第１発光素子の発光色と前記第２発光素子の発光色とが異なることを特徴とする請求項１〜３のいずれか１項に記載のダブルドットマトリクス演出表示器。
【請求項５】
マトリクス状に第１発光素子が配列された第１基板と、前記第１基板の第１発光素子からの光の透過部がマトリクス状に設けられるとともに、隣接する前記光の透過部の間にマトリクス状に第２発光素子が配列されている第２基板とを備え、前記第２基板は前記第１基板の上に重ねて設けられていることを特徴とするダブルドットマトリクス演出表示器の制御装置であって、
遊技機における演出に伴う表示信号を生成する演出制御部と、
前記表示信号を前記第１発光素子の駆動信号と前記第２発光素子の駆動信号に変換する表示制御部とを備え、
前記表示制御部は、前記演出制御部で生成された線図について当該線図の影、強調表示及び／又は図形の修飾に関する部分を抽出するとともに、抽出された部分に対応する前記第２発光素子を発光させるための信号を生成することを特徴とするダブルドットマトリクス演出表示器の制御装置。
【請求項６】
マトリクス状に第１発光素子が配列された第１基板と、前記第１基板の第１発光素子からの光の透過部がマトリクス状に設けられるとともに、隣接する前記光の透過部の間にマトリクス状に第２発光素子が配列されている第２基板とを備え、前記第２基板は前記第１基板の上に重ねて設けられていることを特徴とするダブルドットマトリクス演出表示器の制御装置であって、
遊技機における演出に伴う表示信号を生成する演出制御部と、
前記表示信号を前記第１発光素子用の信号と前記第２発光素子用の信号とに分離する演出分離部と、
前記演出分離部からの信号に基づき前記第１発光素子を駆動する第１表示制御部と、
前記演出分離部からの信号に基づき前記第２発光素子を駆動する第２表示制御部とを備え、
前記演出分離部は、複数の図形が表示されてこれらが異なる動きをする場合において、図形の一方向への動きを前記第１表示制御部へ送り、その逆の動きを前記第２表示制御部へ送ることを特徴とするダブルドットマトリクス演出表示器の制御装置。
【請求項７】
マトリクス状に第１発光素子が配列された第１基板と、前記第１基板の第１発光素子からの光の透過部がマトリクス状に設けられるとともに、隣接する前記光の透過部の間にマトリクス状に第２発光素子が配列されている第２基板と、前記第１基板又は前記第２基板の少なくとも一方を動かす間隔調整装置とを備え、前記第２基板は前記第１基板の上に重ねて設けられ、前記間隔調整装置により前記第２基板の光の透過部と前記第１基板の第１発光素子の距離が変化させられることを特徴とするダブルドットマトリクス演出表示器。
【発明の詳細な説明】
【０００１】
【発明の属する技術分野】
本発明は、スロットマシン等の遊技機に用いられるダブルドットマトリクス演出表示器、特に、２種類の発光素子を使用することによって、濃淡もしくは奥行きを簡単な制御で安価に表現することを可能にするダブルドットマトリクス演出表示器及びその制御装置に関するものである。
【０００２】
【従来の技術】
従来、スロットマシンなどの遊技機の図柄表示装置として、発光ダイオード（ＬＥＤ）からなる多数のドットマトリックス表示素子等が使用され、発光ダイオードの所定ドット数の発光により所望の数字若しくは図柄を表示するものがあった。
【０００３】
スロットマシンでは、様々な演出手段を設け、その演出手段で行われる演出により、入賞態様の許容の有無などに関する情報を告知している。このような情報の報知を視覚的に行う演出手段の代表的なものとして、液晶表示装置やＬＥＤ表示装置などの電気的な表示装置や、表示装置とは別個に設けられたリールなどの構造物による表示装置とが知られている。例えば、スロットマシンの第４リールの位置に液晶表示装置を設け、様々な演出を行うことがある。
【０００４】
【発明が解決しようとする課題】
しかしながら、従来のＬＥＤドットマトリクスでの演出表示器は、単色のドットマトリクスであり、平面的な図柄しか表現することができないという問題点があった。液晶表示装置を用いればさまざまな色彩を表現することが可能で多様な表現を提供できるが、液晶表示装置は比較的高価であり、しかも開発に要する期間や労力の点で問題がある。
【０００５】
本発明はこのような従来の問題点を解決するためになされたもので、２種類の発光素子を使用することによって、濃淡もしくは奥行きを簡単な制御で安価に表現することを可能にするダブルドットマトリクス演出表示器及びその制御装置を提供することを目的とする。
【０００６】
【課題を解決するための手段】
本発明に係るダブルドットマトリクス演出表示器は、表面上にマトリクス状に第１発光素子が配列された第１基板と、前記第１基板の第１発光素子からの光の透過部がマトリクス状に設けられるとともに、隣接する前記光の透過部の間にマトリクス状に第２発光素子が配列されている第２基板とを備え、前記第２基板は前記第１基板の上に重ねて設けられているものである。
【０００７】
例えば、前記第１発光素子はランプ型発光ダイオードであり、前記光の透過部は前記ランプ型発光ダイオードの頭部が挿入されように前記第２基板に設けられた開口であり、前記第２発光素子は前記開口間の第２基板上に設けられたチップ型発光ダイオードである。
【０００８】
前記第２基板は、ほぼ透明な材料で作製されてもよい。
【０００９】
好ましくは、前記第１発光素子の発光色と前記第２発光素子の発光色とが異なる。
【００１０】
この発明に係るダブルドットマトリクス演出表示器の制御装置は、
遊技機における演出に伴う表示信号を生成する演出制御部と、
前記表示信号を前記第１発光素子の駆動信号と前記第２発光素子の駆動信号に変換する表示制御部とを備え、
前記表示制御部は、前記演出制御部で生成された線図について当該線図の影、強調表示及び／又は図形の修飾に関する部分を抽出するとともに、抽出された部分に対応する前記第２発光素子を発光させるための信号を生成することを特徴とするものである。
【００１１】
この発明に係るダブルドットマトリクス演出表示器の制御装置は、
遊技機における演出に伴う表示信号を生成する演出制御部と、
前記表示信号を前記第１発光素子用の信号と前記第２発光素子用の信号とに分離する演出分離部と、
前記演出分離部からの信号に基づき前記第１発光素子を駆動する第１表示制御部と、
前記演出分離部からの信号に基づき前記第２発光素子を駆動する第２表示制御部とを備え、
前記演出分離部は、複数の図形が表示されてこれらが異なる動きをする場合において、図形の一方向への動きを前記第１表示制御部へ送り、その逆の動きを前記第２表示制御部へ送ることを特徴とするものである。
【００１２】
この発明に係るダブルドットマトリクス演出表示器は、マトリクス状に第１発光素子が配列された第１基板と、前記第１基板の第１発光素子からの光の透過部がマトリクス状に設けられるとともに、隣接する前記光の透過部の間にマトリクス状に第２発光素子が配列されている第２基板と、前記第１基板又は前記第２基板の少なくとも一方を動かす間隔調整装置とを備え、前記第２基板は前記第１基板の上に重ねて設けられ、前記間隔調整装置により前記第２基板の光の透過部と前記第１基板の第１発光素子の距離が変化させられることを特徴とするものである。
【００１３】
【発明の実施の形態】
発明の実施の形態１
図１は、遊技機に使用される本発明の実施の形態１によるダブルドットマトリクス演出表示器を示す概略斜視図である。図において、ダブルドットマトリクス演出表示器１は、表面上にマトリクス状に第１発光素子３、例えばランプ型発光ダイオードが配列された第１基板２と、第１基板２の第１発光素子３からの光の透過部６、例えば開口がマトリクス状に設けられるとともに、隣接する前記光の透過部６の間にマトリクス状に第２発光素子５、例えばチップ型発光ダイオードが配列されている第２基板４とを備えている。
【００１４】
図２に示すように、これらの第１基板２及び第２基板４は、ランプ型発光ダイオード３の頭部が開口６内に挿入されるように、互いに積層されて配置されている。図３は、第１基板２及び第２基板４が重ね合わされた状態を示す概略平面図である。なお、第１発光素子３及び第２発光素子５の個数や形状は、図において例示的に示したものであり、所望により適宜変更することができる。また、第１基板２と第２基板４との間隔や開口６の大きさも、適宜変更することができる。
【００１５】
以上のように構成されたダブルドットマトリクス演出表示器１の制御について説明する。スロットマシンのサブ基板において各種演出の処理が行われるが、ここで演出に伴う表示のための信号が生成される。そして、表示信号がダブルドットマトリクス演出表示器１を駆動するための信号に変換されて供給される。図４はこれを機能ブロックとして表現したものである。演出制御部２０は演出に伴う表示信号を生成し、表示制御部１０は表示信号をダブルドットマトリクス演出表示器１の第１発光素子３と第２発光素子５それぞれの駆動信号に変換する。演出制御部２０と表示制御部１０はともにサブ基板により実現されてもよいし、表示制御部１０はダブルドットマトリクス演出表示器１の制御部として、サブ基板と別個に実現されてもよい。
【００１６】
図４に示すように、演出表示される信号は、演出制御部２０から表示制御部１０に送られ、表示制御部１０から第１基板２の第１発光素子３及び第２基板４の第２発光素子５に送られ、第１発光素子３及び第２発光素子５において所定の演出が表示される。
【００１７】
この時、第１発光素子３及び第２発光素子５を別々に制御若しくは連動させることができるので、絵柄の濃淡を表現できる。例えば、第１発光素子３で表示した絵柄の影を第２発光素子５で表示することにより、立体的な図柄の表現が可能となる。具体的には、演出制御部２０において線で図形（例えば長方形や円）を生成したとき、表示制御部１０において当該図形の影の部分（長方形や円の一方の側）を抽出するとともに、抽出された線に対応する第２発光素子５を発光させるための信号を生成する。影に代えて、特定の図形を囲んだり（例えば強調表示）、図形の頂点や辺を装飾したりするように第２発光素子５を発光させてもよい。この場合、表示制御部１０において強調すべき図形や頂点や辺を抽出し、これらを修飾するための第２発光素子５の駆動信号を生成する。
【００１８】
勿論、第１発光素子３と第２発光素子５とを別々に制御して、第１発光素子３を赤色に発光させ、第２発光素子５を黄色、緑色等に発光させてもよく、図柄の多彩な表現が可能となる。この場合、表示制御部１０において図形を発光色ごとに分類し、それぞれの発光色に対応する信号を生成する。
【００１９】
このように、本発明によれば多様な演出が可能となり、液晶表示装置に比べ安価で開発期間も短縮することができる。しかも、第１発光素子３であるランプ型発光ダイオードの頭部が第２基板４の開口６に挿入されるように第１基板２と第２基板４とが積層されているので、第２基板４がしっかりと固定され構造的に安定する。
【００２０】
発明の実施の形態２
発明の実施の形態１においては、図５の要部概略断面図に示すように、第１発光素子３であるランプ型発光ダイオードの頭部が第２基板４の開口６に挿入されるように第１基板２と第２基板４とが積層されている場合について説明した。発明の実施の形態２においては、第１発光素子３からの光の透過部がその上方に形成されるように、第２基板４Ａをほぼ透明な材料、例えばポリイミド樹脂で作製したものである。第２基板４Ａがほぼ透明であるため、第２基板４Ａを介して第１発光素子３からの光が透過する。従って、発明の実施の形態１と同様に、第１発光素子３及び第２発光素子５を別々に制御若しくは連動させることにより、絵柄の濃淡を表現できる。なお、第２基板４Ａは、裏面に所定パターンの印刷を施し、第２発光素子５の発光を補う演出を加えることも可能であり、さらに演出を多様化することができる。
【００２１】
発明の実施の形態３
発明の実施の形態１においては、図４に示したように、演出表示される信号が演出制御部２０から表示制御部１０に送られ、表示制御部１０から第１基板２の第１発光素子３及び第２基板４の第２発光素子５に送られ、所定の演出が表示された。発明の実施の形態３においては、図７に示すように、演出分離部１６を設けている。この演出分離部１６により、演出制御部２０からの信号を、第１発光素子３用の信号と第２発光素子５用の信号とにそれぞれ分離し、第１表示制御部１２と第２表示制御部１４とに供給する。
【００２２】
例えば、演出制御部２０における演出に動きがある場合、図柄やキャラクタの左から右への動きを例えば第１基板２の第１発光素子３で表現し、その逆の動きを第２基板４の第２発光素子５で表現するように、演出分離部１６は２種類の動きを分離し、それぞれの信号を第１表示制御部１２と第２表示制御部１４とに供給する。そして、衝突や爆発などの表示は、第１発光素子３及び第２発光素子５の両者で表現するように制御する。
【００２３】
例えば、お化けにキャラクタが食べられるという表現を、お化けを第１基板２の第１発光素子３で表現し、キャラクタを第２基板４の第２発光素子５で表現することにより、よりリアルな描写が可能となる。具体的には、演出分離部１６は第１キャラクタに関する図形と第２キャラクタに関する図形に分離し、それぞれの信号を第１表示制御部１２と第２表示制御部１４とに供給する。
【００２４】
第１発光素子３で表示される画像の動きの方向と、第２発光素子５で表示される画像の動きの方向とを変更するようにしてもよい。例えば左側からボール（赤色の第１発光素子３で表示）が来て、右側からバット（黄色の第２発光素子５で表示）が来て、続いてこれらが衝突して爆発する（第１発光素子３及び第２発光素子５の両方が点滅する）、というような描写が可能となる。このように、演出分離部により演出を分離することにより、第１発光素子及び前記第２発光素子で表現される演出を互いに相補的又は相乗的に表示することができ、多様な演出が可能となる。
【００２５】
発明の実施の形態４．
図８に示すように、第１基板２と第２基板４の間隔を一定ではなく変化させることにより演出効果を高めるようにしてもよい。図８（ａ）における基板間隔はＡであるが、後述の間隔調整装置により間隔を縮めて同図（ｂ）のようにする。同図（ｂ）の間隔はＢであり（Ｂ＜Ａ）、この状態で発光ダイオード３の頭部が開口６から突出している。このように基板間隔を変化させることにより本装置により提示される演出に奥行きや立体感を与えることができる。特に同図（ｂ）のように発光ダイオード３の頭部を突出させることにより、同ダイオード３による表現を強調することができる。逆に同図（ａ）のように同ダイオード３を基板４の背面に置くことにより、表現を弱めるばかりでなく放射光の指向性を高め、特定の方向にのみ演出を見せることもできるようになる。しかも、後述の間隔調整装置により同図（ａ）の状態と同図（ｂ）の状態を任意の時間間隔で切り換えることができるから、演出に時間的な変化を与えることもできる。
【００２６】
図９に間隔調整装置の例を示す。図９（ａ）は同装置の正面図（スリットＳを除くガイド部３４の表示は省略してある）、同図（ｂ）は同右側面図である。３０は駆動部（モータ）、３１は駆動部の回転軸に取り付けられた円盤体（楕円体でもよい）、３２は円盤体３１の円周に一端が回転自在に取り付けられ、他端が基板４に取り付けられたアーム、３３はアーム３２の端と基板４を結合する結合部（アーム３２の端は回転自在に取り付けられている）、３４は結合部３３を案内するスリットＳが設けられたガイド部である。円盤体３１は駆動部３０の回転軸に偏心して取り付けられている。円盤体３１、アーム３２、スリットＳにより駆動部３０の回転運動が往復運動に変換される。駆動部３０の回転軸が回転すると３２のアームが上下し、これに伴い基板４が上下して基板２と基板３の間隔が変化する。なお、駆動系の途中に歯車などによる減速機構を設けてもよい。
なお、図９の間隔調整装置は一例であって、これ以外の機構を用いてもよいのはいうまでもない。例えば、ソレノイドコイルやリニアモータを用いて直接基板を動かしてもよい。電気動力に代えて空気圧や油圧をもちいてもよい。
【００２７】
【発明の効果】
以上説明したように、本発明によれば、マトリクス状に第１発光素子が配列された第１基板と、前記第１基板の第１発光素子からの光の透過部がマトリクス状に設けられるとともに、隣接する前記光の透過部の間にマトリクス状に第２発光素子が配列されている第２基板とを備え、前記第２基板を前記第１基板の上に重ねて設けたので、濃淡もしくは奥行きを簡単な制御で安価に表現することが可能になる。
【００２８】
また、演出分離部により演出を分離するようにすれば、第１発光素子及び第２発光素子で表現される演出を互いに相補的又は相乗的に表示することができ、多様な演出が可能になるという効果を奏する。
【図面の簡単な説明】
【図１】遊技機に使用される発明の実施の形態１によるダブルドットマトリクス演出表示器を示す概略斜視図である。
【図２】同ダブルドットマトリクス演出表示器の第１基板及び第２基板を示す概略斜視図である。
【図３】同ダブルドットマトリクス演出表示器の第１基板及び第２基板を示す概略平面図である。
【図４】発明の実施の形態１における表示制御を示すブロック図である。
【図５】発明の実施の形態１における第１及び第２基板を示す要部概略断面図である。
【図６】発明の実施の形態２における第１及び第２基板を示す要部概略断面図である。
【図７】発明の実施の形態３における表示制御及び演出分離を示すブロック図である。
【図８】発明の実施の形態４に係るダブルドットマトリクス演出表示器の概略断面図である。
【図９】発明の実施の形態４に係る間隔調整装置の一例を示す図である。
【符号の説明】
１    ダブルドットマトリクス演出表示器
２    第１基板
３    ランプ型発光ダイオード（第１発光素子）
４    第２基板
５    チップ型発光ダイオード（第２発光素子）
６    開口
１０  表示制御部
１２  第１表示制御部
１４  第２表示制御部
１６  演出分離部
２０  演出制御部
【図１】
2004305606.tif 000003
【図２】
2004305606.tif 000004
【図３】
2004305606.tif 000005
【図４】
2004305606.tif 000006
【図５】
2004305606.tif 000007
【図６】
2004305606.tif 000008
【図７】
2004305606.tif 000009
【図８】
2004305606.tif 000010
【図９】
2004305606.tif 000011